【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
プレート底部とプレート上部とを備えた、発光アッセイを行うためのマルチウエルプレートであって、
前記マルチウエルプレートが、一緒にアドレス可能な電極からなる独立にアドレス可能なセクタを含む、マルチウエルプレート。
【請求項２】
前記マルチウエルプレートは複数のウエルを有し、前記複数のウエルは、
（ａ）各ウエルが第１の電極表面と第２の電極表面を備える２つ以上のウエルの第１の組であって、前記第１の組の前記２つ以上のウエルの前記第１の電極表面が電気的に接続され、前記第１の組の前記２つ以上のウエルの前記第２の電極表面が電気的に接続されている第１の組と、
（ｂ）各ウエルが第１の電極表面と第２の電極表面を備える２つ以上のウエルの第２の組であって、前記第２の組の前記２つ以上のウエルの前記第１の電極表面が電気的に接続され、前記第２の組の前記２つ以上のウエルの前記第２の電極表面が電気的に接続されている第２の組と、を備え、
前記第１の組の前記電極表面及び前記第２の組の前記電極表面が独立にアドレス可能である、マルチウエルプレート。
【請求項３】
前記第１電極表面が、前記第２電極表面によって完全に取り囲まれている、請求項２に記載のマルチウエルプレート。
【請求項４】
前記セクタが正方形セクタを含む、請求項１〜３の何れかに記載のマルチウエルプレート。
【請求項５】
前記プレートが、２×３アレイのセクタを含む、請求項１〜３の何れかに記載のマルチウエルプレート。
【請求項６】
前記セクタが、ウエルの１つ若しくは複数の行又は１つ若しくは複数の列を含む、請求項１〜３の何れかに記載のマルチウエルプレート。
【請求項７】
前記電極がカーボン粒子を含む、請求項１〜６の何れかに記載のマルチウエルプレート。
【請求項８】
前記電極が印刷した導電材料を含む、請求項１〜７の何れかに記載のマルチウエルプレート。
【請求項９】
１つ又は複数の前記電極が、前記電極上に形成された複数のアッセイドメインを有する、請求項１〜８の何れかに記載のマルチウエルプレート。
【請求項１０】
前記複数のアッセイドメインが少なくとも４つのアッセイドメインを含む、請求項９に記載のマルチウエルプレート。
【請求項１１】
前記マルチウエルプレートが、１つ又は複数のウエル中に発光標識を含む、請求項１〜１０の何れかに記載のマルチウエルプレート。
【請求項１２】
前記ウエルが、ウエル当たり複数の動作電極を含む、請求項１〜１１の何れかに記載のマルチウエルプレート。
【請求項１３】
１つ又は複数の前記電極が、前記電極上に固定化された１種又は複数種のタンパク質を含む、請求項１〜１２の何れかに記載のマルチウエルプレート。
【請求項１４】
少なくとも１つのウエルが、誘電体表面と境界を接している動作電極表面を含む、請求項１に記載のマルチウエルプレート。
【請求項１５】
前記マルチウエルプレートが複数のウエルを有し、少なくとも１つのウエルが１つ又は複数の動作電極を備え、少なくとも１つの動作電極が、固定化された試薬を含む１つ又は複数のアッセイドメインを有し、前記アッセイドメインが、前記動作電極上で支持された１つ又は複数の誘電体層中の開口部によって画定される、請求項１に記載のマルチウエルプレート。
【請求項１６】
前記プレート上部が複数行の開口部を有し、前記プレート下部が前記プレート下部上にパターン化した動作電極ストリップ及び対電極ストリップを有し、前記プレート上部が前記プレート下部上に取り付けられ、それによって前記開口部から複数行のウエルが形成され、各ウエルの底部が、少なくとも１つの動作電極ストリップの露出部分及び前記対電極ストリップの２つの露出縁部を備える、請求項１に記載のマルチウエルプレート。
【請求項１７】
前記プレート底部が、第１面及び第２面を有し、前記プレート底部が、前記第１面上の１つ又は複数の電極表面と、前記第２面上の１つ又は複数の導電接点とを備え、前記１つ又は複数の電極表面は、前記１つ又は複数の導電接点に電気的に接続する、請求項１に記載のマルチウエルプレート。
【請求項１８】
前記第１面が前記プレート底部の上部表面であり、前記第２面が前記プレート底部の底部表面である、請求項１７に記載のマルチウエルプレート。
【請求項１９】
前記プレート下部が１つ又は複数の導電スルーホールをさらに備え、前記１つ又は複数の導電スルーホールが、前記第１面上の前記１つ又は複数の動作電極表面を前記第２面上の前記１つ又は複数の導電接点に電気的に接続する、請求項１７に記載のマルチウエルプレート。
【請求項２０】
前記プレート下部が絶縁基板であり、前記プレートが更に導電基板を備え、前記導電基板を前記絶縁基板の周りに折り曲げて、前記絶縁基板の第１面上に１つ又は複数の電極表面と、前記絶縁基板の第２面上に１つ又は複数の電気接点とを形成し、前記１つ又は複数の電気接点を前記１つ又は複数の電極表面に電気的に接続する、請求項１に記載のマルチウエルプレート。
【請求項２１】
前記アッセイドメインが独立にアドレス可能である、請求項９又は１０に記載のマルチウエルプレート。
【請求項２２】
前記マルチウエルプレートは複数のウエルを有し、２つ以上の前記複数のウエルがそれぞれが、銀を含む導電層の上に１つ又は複数のカーボン層を付着させることによって形成した動作電極表面を備える、請求項１に記載のマルチウエルプレート。
【請求項２３】
１つ又は複数の前記電極に電気的に接続する１つ又は複数の動作電極電気接点を更に備える、請求項１〜２２の何れかに記載のマルチウエルプレート。
【請求項２４】
１つ又は複数の対電極表面に電気的に接続する１つ又は複数の対電極電気接点を更に備える、請求項１〜２２の何れかに記載のマルチウエルプレート。
【請求項２５】
前記１つ又は複数の動作電極電気接点が、導電スルーホールを介して前記電極に接続する、請求項１〜２２の何れかに記載のマルチウエルプレート。
【請求項２６】
前記対電極電気接点が、基板スルーホールを介して前記１つ又は複数の電極に接続する、請求項１〜２２の何れかに記載のマルチウエルプレート。
【請求項２７】
前記電極は、前記プレート底部上のパターン化した導電層で提供されている、請求項１に記載のマルチウエルプレート。
【請求項２８】
前記パターン化した導電層がカーボンインクを含む、請求項２７に記載のマルチウエルプレート。
【請求項２９】
前記パターン化した導電層が、前記マルチウエルプレートの複数のウエルのそれぞれに少なくとも動作電極及び対電極を提供する、請求項２７又は２８に記載のマルチウエルプレート。
【請求項３０】
前記プレート下部は、前記パターン化した導電層の上にパターン化した誘電体層を更に備え、前記パターン化した誘電体層は、前記パターン化した導電層の領域を露出する開口部を有する、請求項２７、２８又は２９に記載のマルチウエルプレート。
【請求項３１】
（ａ）  上部表面及び底部表面を有する基板と、
（ｂ）  前記上部表面上の複数のパターン化した動作電極と、
（ｃ）  前記上部表面上の複数のパターン化した対電極であって、前記パターン化した対電極のそれぞれが対応するパターン化した動作電極と関連する、複数のパターン化した対電極と、
（ｄ）  ２以上の独立にアドレス可能なセクタであって、セクタのそれぞれが前記底部表面上に２以上の独立にアドレス可能な接点を有し、前記接点のそれぞれが前記セクタの１つのウエル内の１つ又は複数の電極に対応する、２以上の独立にアドレス可能なセクタと、
を含む、マルチウエルプレート底部。
【請求項３２】
請求項３１に記載のプレート底部と、
マルチウエルプレートを形成する前記プレート底部の前記上部表面に固定したプレート上部と、
を含むマルチウエルプレート。
【請求項３３】
請求項１〜３０及び３２の何れかに記載のマルチウエルアッセイプレートと、（ａ）少なくとも１つの発光標識、（ｂ）少なくとも１つの電気化学発光共同反応物、（ｃ）１つ又は複数の結合試薬、（ｄ）ｐＨ緩衝液、（ｅ）１つ又は複数の遮断試薬、（ｆ）防腐剤、（ｇ）安定剤、（ｈ）酵素、（ｉ）洗剤、及び（ｊ）乾燥剤からなる群から選択した少なくとも１つのアッセイ成分とを、１つ又は複数の容器内に備える、電極誘起発光アッセイを行うのに使用するキット。
【請求項３４】
請求項１〜３０及び３２の何れかに記載のマルチウエルプレートを作製する方法であって、
（ａ）前記底部プレート上に、前記パターン化した電極と、前記パターン化した電極に接続する２以上の動作電極接点と、を形成し、一緒にアドレス可能な電極からなる独立にアドレス可能なセクタを形成することと、
（ｂ）前記底部プレート上に前記上部プレートを取り付け、前記プレート上部は複数の開口部を有することと、
を含み、
前記複数の開口部は複数のウエルを形成し、ウエルのそれぞれは少なくとも１つの動作電極を有する、方法。
【請求項３５】
請求項１〜３０及び３２の何れかに記載のマルチウエルアッセイプレートから発光を測定する方法であって、
セクタ中のウエルに電気エネルギーを供給すること、
セクタ中で発光を誘起すること、
セクタ中で前記発光を測定すること、又は、
それらの組合せ、を含む、方法。
【請求項３６】
発光用の機器と、請求項１〜３０及び３２のいずれかに記載のマルチウエルアッセイプレートとを備える、発光アッセイを行うシステム。